(57)【要約】【課題】  コーナー部分の質感をアクセント的に変えて、浴室空間を広く演出することができ、また、壁パネルを共通化させて、浴室内寸を広げることのできるコーナーパネルを用いた浴室を提供する。【解決手段】  浴室１の四隅の内、少なくとも対角に対向する２つのコーナー部を、壁パネル４とは異素材の、床から天井に届く上下寸法で、横幅が１００〜２５０mmのコーナーパネル６，６，６で構成する。【選択図】  図１
2005054543.tif 000002
【特許請求の範囲】
【請求項１】
浴室四隅の内、少なくとも対角に対向する２つのコーナー部を、浴室壁とは異素材の床から天井に届く上下寸法で、横幅が１００〜２５０mmのコーナーパネルで構成したことを特徴とする浴室。
【請求項２】
前記コーナーパネルに収納棚が一体化されていることを特徴とする請求項１に記載の浴室。
【請求項３】
前記コーナーパネルに照明が内蔵されていることを特徴とする請求項１または請求項２に記載の浴室。
【発明の詳細な説明】
【技術分野】
【０００１】
本発明は、浴室に関するものである。
【背景技術】
【０００２】
浴室のコーナーに、収納タワーを設けたものや、コーナーに照明を設けたものが既に存在するが、これらは後付けのものが主流であった。
また、最近では浴室の内寸を５０mm広げた浴室が増えてきている。
【特許文献１】特開平７−２７９４５３号公報
【発明の開示】
【発明が解決しようとする課題】
【０００３】
従来では後付けのものが主流であり、浴室の壁と面一で納まり、且つＲＬ共通のコーナーパネルは存在しないものであった。
また、浴室の内寸を５０mm広げようとすると、５０mmのサイズの違いで、多数の寸法の異なる壁パネルを在庫する必要があった。
【課題を解決するための手段】
【０００４】
本発明は上記従来の問題点に鑑み案出したものであって、浴室のコーナー部にスッキリとした状態で、意匠性を向上させて設置することができ、また、内寸を５０mm広げた浴室にも対応できて、寸法の異なる多数の壁パネルを用意する必要のない浴室を提供せんとするものであり、請求項１では、浴室四隅の内、少なくとも対角に対向する２つのコーナー部を、浴室壁とは異素材の床から天井に届く上下寸法で、横幅が１００〜２５０mmのコーナーパネルで構成したことである。
また、請求項２では、前記コーナーパネルに収納棚が一体化されていることである。
また、請求項３では、前記コーナーパネルに照明が内蔵されていることである。
【発明の効果】
【０００５】
浴室四隅の内、少なくとも対角に対向する２つのコーナー部を、浴室壁とは異素材の床から天井に届く上下寸法で、横幅が１００〜２５０mmのコーナーパネルで構成したことにより、コーナーパネルが浴室空間のアクセントとなり、視覚的に心地良い変化が得られて、浴室の広さ感が増大することとなる。
また、例えば４種類程度の横幅寸法の異なるコーナーパネルを用意しておくことにより、５０mm内寸の広い浴室に対しても、壁パネルは共通化して使用することができるものとなり、壁パネルの品番を削減できるものとなる。
また、コーナーパネルの横幅は１００mm以上であるため、良好なアクセントとなり、また２５０mm以下であるため、浴室の扉や窓と干渉することなく設置できるものとなる。
【０００６】
また、コーナーパネルに収納棚が一体化されていることにより、収納棚の納まりが良く、美観が向上したものとなり、また、一体化されているため掃除もし易いものとなる。
また、コーナーパネルに照明が内蔵されていることにより、出っ張り感のない照明で浴室の美観が向上し、良好な演出照明が得られるものとなる。
【実施例】
【０００７】
以下、本発明の実施例を図面に基づいて説明する。
図１は、浴室の平面斜視図であり、また図２は、浴室内の正面斜視図である。
浴室１の底側には浴槽２と洗い場３が設けられており、この浴槽２と洗い場３の外周には壁パネル４，４，４が建て付けられ、壁パネル４の上端には天井パネル５が組み付けられている。
【０００８】
また、浴室のコーナー部には、コーナーパネル６，６，６が、壁パネル４，４と面一状に設けられており、このコーナーパネル６は、床側から天井５に届く上下寸法に形成されて、横幅が１００〜２５０mmに設定されている。
なお、このコーナーパネル６は、例えば、樹脂で押出成形されたものであり、透明または半透明なものとか、また、壁パネル４とは色，質感の異なる素材で形成されたものであり、横断面形状は、Ｌ状，円弧状，角の丸いＬ状，傾斜状等に形成されている。
また、このコーナーパネル６には、上下方向に複数段で収納棚７，７，７を形成させておき、この収納棚７を一体化したものをコーナーに立設させることができるものである。
【０００９】
更には図３の平面断面構成図で示すように、コーナーパネル６の裏側に照明ランプ８を内蔵させておき、照明ランプ８を点灯させて、コーナーパネル６からの照明光で、浴室内を演出照明できるように構成することもできる。
なお、コーナーパネル６をコーナーに沿って壁パネル４，４と面一状に設置しておけば、スッキリとした状態で浴室内の美観が向上するものであり、コーナーに設けたコーナーパネル６は、壁パネル４とは色や素材が異なるものであるため、浴室のコーナーがアクセントとなり、視覚的に心地良い変化が得られて、浴室が広い感じのものとなる。
また、掃除もし易く、特に収納棚７が一体化されているものでは、収納棚の掃除も容易なものとなる。
【００１０】
なお、図４および図５の平面図では、対角線上に対向するコーナー部に、Ｌ状のコーナーパネル６を壁パネル４と面一に設置した状態を示しており、最近では、図４のように１６５０mmの内寸の浴室が増えており、従来では、図５のように１６００mmの内寸のものであった。
この場合、コーナーパネル６を例えば４種類用意しておき、図４では、コーナーパネル６の横幅寸法が２５０mmのものを用いた場合であり、横幅寸法が２５０mmのコーナーパネル６を用いてコーナー部を形成させることにより、壁パネル４は１４００mmの幅寸法のものを用いることができるものである。
【００１１】
同様に図５のように、横幅寸法が２００mmのコーナーパネル６をコーナー部に用いた場合にも、壁パネル４の幅寸法は１４００mmのものを使用することができ、壁パネル４は共通化して使用することができるため、壁パネル４の品番を多数用意しておく必要がなく、壁パネル４の品番を削減できるものとなる。
即ち、横幅寸法が２００mmのコーナーパネルに代えて、横幅寸法が２５０mmのコーナーパネル６をコーナー部に用いることにより、従来よりも５０mm内寸を拡大させた１６５０mmの内寸の浴室を形成させることができるものとなる。
なお、横幅寸法が２５０mmと２００mmのコーナーパネルの他に、２２５mm×２２５mmの幅寸法のものと、２２５mm×２５０mmの幅寸法のコーナーパネルの４種類を用意しておけば、５０mmの違いの浴室を形成させる場合でも、壁パネル４を共通化できるものである。
【図面の簡単な説明】
【００１２】
【図１】浴室の平面斜視構成図である。
【図２】浴室の正面斜視構成図である。
【図３】浴室のコーナー部にコーナーパネルを設け、その裏側に照明を内蔵させた状態の平面要部拡大構成図である。
【図４】内寸が１６５０mmの浴室の平面断面構成図である。
【図５】内寸が１６００mmの浴室の平面断面構成図である。
【符号の説明】
【００１３】
１  浴室
２  浴槽
３  洗い場
４  壁パネル
５  天井
６  コーナーパネル
７  収納棚
８  照明ランプ
【図１】
2005054543.tif 000003
【図２】
2005054543.tif 000004
【図３】
2005054543.tif 000005
【図４】
2005054543.tif 000006
【図５】
2005054543.tif 000007